(57)【要約】      （修正有）【課題】洋式トイレ使用時において、便座に座った際の両足太腿の圧迫を低減し、血流の束縛を低下可能にした低圧迫便座を提供する。【解決手段】洋式トイレにおいて、中央開口部８を設けた便座２の左右太腿の前方下部が接触する部分に、当該左右太腿の前方下部に対する圧迫を緩和可能な左右一対の凹部４、４を設け、該凹部４、４は、便座２の外縁部４ａ、４ａと、これに対応する中央開口部８側に面する内縁部４ｂ、４ｂとを有し、当該左右一対の凹部４、４の各内縁部４ｂ、４ｂ側と連通するよう前記便座２の中央開口部８側の内周に左右太腿の後方下部の圧迫緩和用の内向傾斜縁部７を設ける。また、前記左右一対の凹部４、４相互間の幅間隔Ｄは、左右太腿の股開き角度に対応させる。さらに、左右一対の凹部４、４相互間に挟まれた前方中央に上方凸状の堰部６を設ける。【選択図】図１
0003192995.tif 000002
【実用新案登録請求の範囲】
【請求項１】
洋式トイレにおいて、排泄用の中央開口部を設けた便座の左右太腿の前方下部が接触する部分に、当該太腿に対する圧迫を緩和可能な左右一対の凹部を設け、該凹部は、便座の外縁部と、これに対応する中央開口部側に面する内縁部とを有し、当該左右一対の凹部の各内縁部側と連通するよう前記便座の中央開口部後方側の内周に左右太腿の後方下部の圧迫緩和用の内向傾斜縁部を設けたことを特徴とする低圧迫便座。
【請求項２】
前記左右一対の凹部相互間の幅間隔は、左右太腿の股開き角度に対応させて形成したことを特徴とする請求項１記載の低圧迫便座。
【請求項３】
前記左右一対の凹部相互間に挟まれた前方中央に上方凸状の堰部を設けたことを特徴とする請求項１または２記載の低圧迫便座。
【考案の詳細な説明】
【技術分野】
【０００１】
本考案は、洋式トイレの座り使用時において便座から受ける両足太腿の圧迫を低減可能とした低圧迫便座に関する。
【背景技術】
【０００２】
従来における洋式トイレは、便器本体と、使用に際に該便器本体上に座るための略ドーナッツ型平板状の便座と、不使用の際に該便座上を塞いでおくための蓋とから構成されている。この場合、洋式便器の便座および温水洗浄便座に左右の太腿が接する部分はほぼフラットな座面部となっている。
【先行技術文献】
【特許文献】
【０００３】
【特許文献１】特になし
【考案の概要】
【考案が解決しようとする課題】
【０００４】
しかしながら、上記した従来においては、排泄行為者が洋式便器の便座及び温水洗浄便座に座ると、両足の太腿の局所に体重の大部分がかかるものとなって、当該便座に接する部分から圧迫を受け、血行が悪くなって両足の痺れや軽い痛み等の症状が現れる危惧があった。
【０００５】
しかも、上記した便座に座って用をたす際には、座面部がほぼフラットな形状をしているため、小水が前方に飛散してしまう虞もあった。
【０００６】
そこで、本考案は、叙上のような従来存した諸事情に鑑み創出されたもので、洋式トイレ使用時において、便座に座った際の両足太腿の圧迫を低減し、血流の束縛を低下可能にした低圧迫便座を提供することを目的とする。
【課題を解決するための手段】
【０００７】
上述した課題を解決するために、本考案にあっては、洋式トイレにおいて、排泄用の中央開口部を設けた便座の左右太腿の前方下部が接触する部分に、当該太腿に対する圧迫を緩和可能な左右一対の凹部を設け、該凹部は、便座の外縁部と、これに対応する中央開口部側に面する内縁部とを有し、当該左右一対の凹部の各内縁部側と連通するよう前記便座の中央開口部後方側の内周に左右太腿の後方下部の圧迫緩和用の内向傾斜縁部を設けたことを特徴とする。
【０００８】
前記左右一対の凹部相互間の幅間隔は、左右太腿の股開き角度に対応させて形成したことを特徴とする。
【０００９】
前記左右一対の凹部相互間に挟まれた前方中央に上方凸状の堰部を設けたことを特徴とする。
【考案の効果】
【００１０】
本考案によれば、洋式トイレ使用時において、便座に座った際の両足太腿の圧迫を低減し、血流の束縛を低下可能にする。
【００１１】
すなわち、従来においては、左右の太腿が接する部分はほぼフラットな座面部となっていることから、通常１０〜２０分程度便座に座っていると、太腿裏側の便座によって受ける圧迫で当該太腿に痺れや痛みが発生する。これに対し、本考案に係る便座は、当該便座の左右太腿の前方下部が接触する部分に、当該太腿に対する圧迫を緩和可能な左右一対の凹部を設けてある。このため、本考案に係る便座は、太腿後部の圧迫を低減して血流の束縛を低下させる効果がある。
【００１２】
特に、凹部は、便座の外縁部と、これに対応する中央開口部側に面する内縁部とを有し、当該左右一対の凹部の各内縁部後方側と連通するよう前記便座の中央開口部側の内周に左右太腿の後方下部の圧迫緩和用の内向傾斜縁部を設けたので、上記太腿の前方下部と同時に、後方下部に対する圧迫も確実に低減することができ、例え背たけの低い女性等の長時間の排泄使用でも利用者を疲れさせない。
【００１３】
また、前記左右一対の凹部相互間の幅間隔は、左右太腿の股開き角度に対応させて成るので、疲れを生じさせない股開き姿勢で利用者の排泄時における太腿の圧迫を確実に低減することができる。
【００１４】
さらに、前記左右一対の凹部相互間に挟まれた前方中央に上方凸状の堰部を設けて成るので、便座に座って用をたす際に当該堰部により小水、又は温水洗浄便座の場合の洗浄水等が前方に飛散するのを阻止することができる。
【図面の簡単な説明】
【００１５】
【図１】本考案を実施するための一形態における便座を示す平面図である。
【図２】同じく便座を示す正面図である。
【図３】図１中のＡ−Ａ断面図である。
【図４】図１中のＢ−Ｂ断面図である。
【図５】便座の使用状態を示す説明図である。
【考案を実施するための形態】
【００１６】
以下、図面を参照して本考案の実施の一形態を詳細に説明する。
【００１７】
本考案における洋式トイレは、図５に示すように、便器本体１と、使用に際し該便器本体１上に座って用をたすための排泄用の中央開口部８を有する略ドーナッツ型平板状の便座２と、不使用の際に該便座２上を塞いでおくための蓋（図示省略）とから構成されている。
【００１８】
上記便座２は、当該便座２後部に形成された左右一対のヒンジ部３ａ、３ｂを介して俯仰方向（図３中の矢印Ｃ方向）に回動自在となるよう便器本体１に取り付けられている（蓋も同様な構造）。また、図２、図３、図４、図５に示すように、便座２の底面には、当該便座２が俯方向に回動した際に、便器本体１の上部開口縁に係止させるための複数（例えば前後左右で合計４箇所）の脚部５が形成されている。
【００１９】
尚、洋式トイレの上記便座２は、温水洗浄便座であっても良いことは勿論である。
【００２０】
上記便座２は、図１、図２、図３、図４、図５に示すように、左右太腿の前方下部Ｐが接触する部分に正面視（図２参照）及び側面視（図３参照）で共に略円弧状の曲面窪み形状となって形成された左右一対の凹部４、４が設けられ、当該凹部４、４によって前記左右太腿の前方下部Ｐを支えることで当該左右太腿の前方下部Ｐに対する圧迫を緩和可能となるようにしている。
【００２１】
すなわち、本実施形態においては、図１に示すように、左右一対の凹部４、４は、便座２の外縁部４ａと、これに対応する上記中央開口部８側に面する内縁部４ｂとを有し、凹部４、４の各内面は、左右太腿の前方下部Ｐの皮膚外面形状に対応すべく、正面視（図２参照）及び側面視（図３参照）で共に緩やかな曲面窪み形状となっている。
【００２２】
そして、左右太腿の後方下部Ｑの圧迫を緩和すべく、当該左右太腿の後方下部Ｑの接触する部分である便座２の中央開口部８側の内周に沿って平面視略半環状の内向傾斜縁部７が形成されており、前記凹部４、４の各内縁部４ｂ、４ｂをこの内向傾斜縁部７に連通させてある。
【００２３】
また、図１に示すように、左右一対の凹部４、４の各前方側端部中央の相互間の幅間隔Ｄは、左右太腿（Ｐ、Ｑ）の股開き角度、例えば股開き姿勢に支障を来たさない約３０°〜８０°程度の範囲の角度等に対応させてある。これにより、便座２の前記凹部４ａ、４ｂ相互間に挟まれた前方中央が上面に突き出た堰部６となって残形された状態となっている。
【００２４】
次に、以上のように構成された形態についての使用の一例について説明する。
【００２５】
洋式トイレの使用に際し、蓋を開けてから便座２上に座る。このとき、図５に示すように、左右太腿の前方下部Ｐを左右一対の凹部４、４それぞれに係合させつつ左右太腿の後方下部Ｑ（尻側）を便座２上に載せて排泄を行う。
【００２６】
このとき、図１に示すように、前記左右一対の凹部４、４の各内縁部４ｂ、４ｂは、前記中央開口部８の後方内周に設けた内向傾斜縁部７に連通しているので、上記左右太腿の前方下部Ｐと同時に、左右太腿の後方下部Ｑ（尻側）に対する圧迫も確実に低減することができ、長時間の排泄使用でも利用者を疲れさせないこととなる。
【００２７】
すなわち、上記した本実施形態においては、図５に示すように、左右太腿の前方下部Ｐの皮膚外面形状に対応した略円弧状となって形成された左右一対の凹部４、４によって前記左右太腿の前方下部Ｐが支えられるとともに、左右一対の凹部４、４後方の内向傾斜縁部７によって左右太腿の後方下部Ｑもささえられた状態となるので、便座２に例えば約２０分程度の長時間座った状態でも左右太腿の前方下部Ｐはもちろん、左右太腿の後方下部Ｑにも痛みや痺れが発生しない。
【００２８】
さらに、便座２の前記凹部４、４相互間に挟まれた前方中央の堰部６により、小水、又は温水洗浄便座の場合の洗浄水等の前方への飛散が確実に阻止されるものとなる（図５参照）。
【符号の説明】
【００２９】
Ｐ          左右太腿の前方下部
Ｑ          左右太腿の後方下部
Ｄ          幅間隔
１          便器本体
２          便座
３ａ、３ｂ  ヒンジ部
４          凹部
４ａ        外縁部
４ｂ        内縁部
５          脚部
６          堰部
７          内向傾斜縁部
８          中央開口部
【図１】
0003192995.tif 000003
【図２】
0003192995.tif 000004
【図３】
0003192995.tif 000005
【図４】
0003192995.tif 000006
【図５】
0003192995.tif 000007